(57)【要約】【課題】作業者に負担をかけることなく、ワークの巾木を容易に処理することのできる巾木処理装置を提供する。【解決手段】上型２から離型したワーク３のワーク載置部１０及び該ワーク載置部１０に隣接する部位を上下方向に開口した開口部１１を有するパレット４と、該パレット４の下方に備えられ、ワーク３から離脱して落下する巾木１６をパレット４の開口部１１を介して受け取る受け部１７及び該受け部１７に隣接する部位を上下方向に開口した開口部１８を有する受け部材５とを備えており、受け部材５の受け部１７上に落下した巾木１６は、パレット４の受け部材５に対する相対移動に伴って該開口部１８から落下される。これにより、作業者に負担をかけることなく、ワーク３の巾木１６を容易に処理することができる。【選択図】図２
2010158709.tif 000002
【特許請求の範囲】
【請求項１】
鋳造後にワークの巾木を処理する巾木処理装置であって、
該巾木処理装置は、鋳造金型から離型した前記ワークを載置するワーク載置部及び該ワーク載置部に隣接する部位を上下方向に開口した開口部を有するパレットと、
該パレットの下方に備えられ、ワークの離型時、ワークから離脱して落下する巾木を前記パレットの開口部を介して受け取る受け部及び該受け部に隣接する部位を上下方向に開口した開口部を有する受け部材とを備え、
前記受け部材の受け部上に落下した巾木は、前記パレットの前記受け部材に対する相対移動に伴って前記受け部材の開口部に案内されて該開口部から落下することを特徴とする巾木処理装置。
【請求項２】
前記パレットには、前記ワークの離型時、前記巾木に接触して該巾木をワーク内の中子から破断する爪部を備えていることを特徴とする請求項１に記載の巾木処理装置。
【請求項３】
前記パレットを前記受け部材に対して相対移動させるべく、前記受け部材の移動を規制するストッパが備えられることを特徴とする請求項１または２に記載の巾木処理装置。
【請求項４】
前記パレットと前記受け部材との間には、前記パレットを前記受け部材に対して相対移動させた状態から初期状態に戻すスプリングが配置されることを特徴とする請求項１〜３のいずれかに記載の巾木処理装置。
【発明の詳細な説明】
【技術分野】
【０００１】
本発明は、鋳造後、ワーク内の中子に連なる巾木を処理する巾木処理装置に関するものである。
【背景技術】
【０００２】
一般に、自動車等のシリンダヘッドの生産工程では、低圧鋳造機を構成する鋳造金型と中子によりシリンダヘッドの粗材（以下、ワークと称する）が成形される。鋳造後には、低圧鋳造機に付設されたアンローダーにより鋳造金型からワークが取り出される。
なお、鋳造後の成形されたワークには中子に連なる不要な巾木が突出しており、従来では、ワークから巾木が突出した状態で該ワークが次工程へ搬送され、作業者により巾木の処理作業が行われていた。しかしながら、その作業者による巾木の処理作業は非常に煩雑で作業者にとって負担となり問題であった。
【０００３】
上記問題を解決すべく提案された特許文献１には、鋳造後の鋳造金型から製品粗材を治具パレット上に落下させると共に、治具パレットから突出形成したピンを落下途中の製品粗材の巾木に当接させることで、ピンにより巾木を製品粗材から離脱させて、その後、離脱した巾木を治具パレットの容器となった部分に落下させるようにした巾木離脱装置が開示されている。
【先行技術文献】
【特許文献】
【０００４】
【特許文献１】特開２００３−３４０５６４号公報
【発明の概要】
【発明が解決しようとする課題】
【０００５】
しかしながら、特許文献１の巾木離脱装置においても、治具パレット内に落下した巾木を作業者がガラ入れ缶等に捨てる必要があり、作業者の負担を軽減させることができず、上述した問題を解決することはできない。
【０００６】
本発明は、かかる点に鑑みてなされたものであり、作業者に負担をかけることなく、ワークの巾木を容易に処理することのできる巾木処理装置を提供することを目的とする。
【課題を解決するための手段】
【０００７】
上記課題を解決するために、本発明の巾木処理装置は、鋳造金型から離型した前記ワークを載置するワーク載置部及び該ワーク載置部に隣接する部位を上下方向に開口した開口部を有するパレットと、該パレットの下方に備えられ、ワークの離型時、ワークから離脱して落下する巾木を前記パレットの開口部を介して受け取る受け部及び該受け部に隣接する部位を上下方向に開口した開口部を有する受け部材とを備え、前記受け部材の受け部上に落下した巾木は、前記パレットの前記受け部材に対する相対移動に伴って前記受け部材の開口部に案内されて該開口部から落下することを特徴としている。
これにより、作業者に負担をかけることなく、ワークの巾木を容易に処理することができる。
なお、本発明の巾木処理装置の各種態様およびそれらの作用については、以下の発明の態様の項において詳しく説明する。
【０００８】
（発明の態様）
以下に、本願において特許請求が可能と認識されている発明（以下、「請求可能発明」という場合がある。）の態様をいくつか例示し、それらについて説明する。なお、各態様は、請求項と同様に、項に区分し、各項に番号を付して、必要に応じて他の項を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載、実施の形態等を参酌して解釈されるべきであり、その解釈に従う限りにおいて、各項の態様にさらに他の構成要件を付加した態様も、また、各項の態様から構成要件を削除した態様も、請求可能発明の一態様となり得るのである。なお、以下の各項において、（１）項乃至（４）項の各々が、請求項１乃至４の各々に相当する。
【０００９】
（１）鋳造後にワークの巾木を処理する巾木処理装置であって、該巾木処理装置は、鋳造金型から離型した前記ワークを載置するワーク載置部及び該ワーク載置部に隣接する部位を上下方向に開口した開口部を有するパレットと、該パレットの下方に備えられ、ワークの離型時、ワークから離脱して落下する巾木を前記パレットの開口部を介して受け取る受け部及び該受け部に隣接する部位を上下方向に開口した開口部を有する受け部材とを備え、前記受け部材の受け部上に落下した巾木は、前記パレットの前記受け部材に対する相対移動に伴って前記受け部材の開口部に案内されて該開口部から落下することを特徴とする巾木処理装置。
（１）項の巾木処理装置では、ワークが離型されてパレット上に落下する際、ワークから離脱して落下する巾木をパレットの開口部を介して受け部材の受け部で受け止める。続いて、パレットが受け部材に対して相対移動すると、受け部上の巾木は受け部材の開口部に案内されて該開口部からガラ入れ缶等に落下する。
これにより、作業者に負担をかけることなくワークの巾木を容易に処理することができる。
【００１０】
（２）前記パレットには、前記ワークの離型時、前記巾木に接触して該巾木をワーク内の中子から破断する爪部を備えていることを特徴とする（１）項に記載の巾木処理装置。
（２）項の巾木処理装置では、爪部により巾木をワーク内の中子から容易に破断することができる。
【００１１】
（３）前記パレットを前記受け部材に対して相対移動させるべく、前記受け部材の移動を規制するストッパが備えられることを特徴とする（１）項または（２）項に記載の巾木処理装置。
（３）項の巾木処理装置では、受け部材の受け部上の巾木が容易にパレットの開口部に案内されて該開口部から落下される。
【００１２】
（４）前記パレットと前記受け部材との間には、前記パレットを前記受け部材に対して相対移動させた状態から初期状態に戻すスプリングが配置されることを特徴とする（１）項〜（３）項のいずれかに記載の巾木処理装置。
（４）項の巾木処理装置では、簡易な構成でパレット及び受け部材を初期状態に戻すことができる。
【００１３】
（５）前記パレットには、前記開口部に隣接する部位に該開口部に向かって下方傾斜する傾斜部が備えられることを特徴とする（１）項〜（４）項のいずれかに記載の巾木処理装置。
（５）項の巾木処理装置では、ワーク内の中子から破断した巾木を、パレットの傾斜部に沿ってパレットの開口部から受け部材の受け部上に案内することができる。
【発明の効果】
【００１４】
本発明によれば、作業者に負担をかけることなく、ワークの巾木を容易に処理することのできる巾木処理装置を提供することができる。
【図面の簡単な説明】
【００１５】
【図１】図１は、本発明の実施の形態に係る巾木処理装置で、離型されたワークから巾木が破断する様子を示す図である。
【図２】図２は、本発明の実施の形態に係る巾木処理装置で、ワークの取出位置にて各巾木が受け部材の各開口部から落下する様子を示す図である。
【発明を実施するための形態】
【００１６】
以下、本発明を実施するための最良の形態を図１及び図２に基いて詳細に説明する。
本発明の実施の形態に係る巾木処理装置１は、低圧鋳造機（図示略）に付設されるアンローダーに適用され、鋳造金型の上型２と下型（図示略）との間の位置と、ワーク３（例えば、シリンダヘッドの粗材）の取出位置とを往復運動して、離型したワーク３を上型２と下型（図示略）との間から取り出すと共にワーク３の巾木１６を容易に離脱させて処理するものである。
本巾木処理装置１は、図１及び図２に示すように、鋳造金型の上型２から離型して落下するワーク３を載置して搬送するパレット４と、該パレット４の下面に当接されるように配設される受け部材５とから構成される。
また、本巾木処理装置１には、図２に示すように、ワーク３の取出位置にて、パレット４を受け部材５に対して相対移動させるべく、受け部材５の移動を規制するストッパ６が備えられている。さらに、パレット４と受け部材５との間には、パレット４が受け部材５に対して相対移動した状態（図２の状態）から初期状態（図１の状態）に戻すためのスプリング７が配置される。
【００１７】
パレット４は、図１に示すように、板状に形成され、ワーク３が載置されるワーク載置部１０と、該ワーク載置部１０の進退方向両側の部位を上下方向に開口した各開口部１１と、各開口部１１に隣接して設けた各傾斜部１２とからなる。各傾斜部１２は各開口部１１に向かって下方傾斜する傾斜面１３を有している。
ワーク載置部１０の進退方向両側には爪部１５が形成される。各爪部１５は、各開口部１１に臨むように湾曲しつつ上方に向かってそれぞれ突設されている。各爪部１５は、ワーク３内の中子に連なる各巾木１６に接触する位置に配置される。なお、爪部１５は、その先端が巾木１６の先端側になるべく接触するように配置した方が巾木１６を容易に根元から破断することができる。
【００１８】
受け部材５は、図１に示すように、板状に形成され、パレット４の下面に当接するように配置される。該受け部材５は、各爪部１５よりワーク３内の中子から破断した各巾木１６をパレット４の各開口部１１を介して受け止める受け部１７と、該受け部１７に隣接する部位を上下方向に開口した開口部１８とからなる。本実施の形態では、受け部材５には、受け部１７及び開口部１８が受け部材５の進退方向に沿って交互に２箇所ずつ形成される。なお、受け部材５の各開口部１８の下方には、各開口部１８から落下する各巾木１６を収容するガラ入れ缶（図示略）等が配置される。
なお、ワーク載置部１０にスプリング７の一端が接続されると共に、受け部材５の前進側端部に該スプリング７の他端が接続される。
【００１９】
次に、本発明の実施の形態に係る巾木処理装置１を使用して巾木１６をワーク３から離脱させて、ガラ入れ缶内に収容する方法を説明する。
まず、図１に示すように、鋳造後型開きされると、鋳造金型の上型２と下型との間に、パレット４及び受け部材５が図示しない駆動源により前進され、パレット４のワーク載置部１０が上型２からのワーク３を受け止め可能な位置に配置された時点で停止される。
なお、初期状態におけるパレット４及び受け部材５は、受け部材５の各受け部１７がパレット４の各開口部１１から上方に露出するように配置される。
【００２０】
次に、ワーク３が上型２から離型して落下すると、落下の途中で各爪部１５が各巾木１６に接触することで該巾木１６がワーク３内の中子から破断しつつ、ワーク３がパレット４のワーク載置部１０上に載置される。一方、ワーク３内の中子から破断した各巾木１６は、パレット４の各開口部１１を介して受け部材５の各受け部１７上に落下する。
なお、パレット４は傾斜部１２を備えているので、巾木１６が傾斜部１２上に落下した場合でも、その巾木１６はパレット４の傾斜部１２の傾斜面１３に沿って滑り落ち、パレット４の開口部１１から受け部材５の受け部１７上に案内される。
【００２１】
次に、パレット４及び受け部材５が共に上型２と下型との間から前記駆動源により後退する。そして、図２に示すように、ワーク３の取出位置に達した際、ストッパ６により受け部材５の移動が規制されると共にパレット４が受け部材５に対して相対移動することで、パレット４の傾斜部１２及びワーク載置部１０が、各受け部１７上の各巾木１６をそれぞれ押すように各開口部１８に案内して、各巾木１６が各開口部１８から落下する。これにより、各巾木１６は、各開口部１８の下方に配置されるガラ入れ缶内に収容される。
次に、パレット４及び受け部材５を上型２と下型との間に進退させる前記駆動源を停止すると共にストッパ６を解除すれば、スプリング７によりパレット４及び受け部材５が初期状態（図１の状態）に戻り、パレット４のワーク載置部１０上からワーク３が取り出されて、次の工程に進む。
その後、次の鋳造が完了して型開きされると、パレット４及び受け部材５が共に上型２と下型との間に前記駆動源により再び前進する。
【００２２】
以上説明したように、本発明の実施の形態に係る巾木処理装置１は、上型２から離型したワーク３を載置するワーク載置部１０及び該ワーク載置部１０に隣接する部位を上下方向に開口した開口部１１を有するパレット４と、該パレット４に備えられ、ワーク３の離型時、巾木１６に接触して該巾木１６をワーク３内の中子から破断する爪部１５と、パレット４の下方に備えられ、爪部１５によりワーク３内の中子から破断して落下する巾木１６をパレット４の開口部１１を介して受け取る受け部１７及び該受け部１７に隣接する部位を上下方向に開口した開口部１８を有する受け部材５とを備えている。
【００２３】
そして、ワーク３が上型２から離型してパレット４のワーク載置部１０上に落下し、その落下の途中で、爪部１５より巾木１６がワーク３内の中子から破断して、該巾木１６はパレット４の開口部１１を介して受け部材５の受け部１７上に落下する。その後、受け部材５の受け部１７上の巾木１６は、パレット４の受け部材５に対する相対移動に伴って受け部材５の開口部１８に案内されて該開口部１８から落下し、各ガラ入れ缶に収容される。
これにより、ワーク３の巾木１６の処理作業に関して、作業者は一切巾木１６に触れることなく、巾木１６をガラ入れ缶内に収容することができ、作業者への負担を大幅に軽減することができる。
【符号の説明】
【００２４】
１  巾木処理装置，２  上型，３  ワーク，４  パレット，５  受け部材，６  ストッパ，７  スプリング，１０  ワーク載置部，１１  開口部（パレット側），１５  爪部，１６  巾木，１７  受け部，１８  開口部（受け部材側）
【図１】
2010158709.tif 000003
【図２】
2010158709.tif 000004